(57)【要約】【課題】バックライトを遮蔽するための光遮蔽物を用いることなくバックライトに起因する発光部と受光部を含む光学素子の誤動作を確実に防止できる表示操作装置を提供すること。【解決手段】共通する平面上に、バックライトで照射するように構成された平面型のディスプレイと、発光部と受光部を含む光学素子とが配置された表示操作装置において、  前記バックライトと前記発光部の発光時間が互いに重ならないように発光駆動タイミングを制御するタイミング制御手段、を設けたことを特徴とするもの。【選択図】                    図１
2014049860.tif 000002
【特許請求の範囲】
【請求項１】
共通する平面上に、バックライトで照射するように構成された平面型のディスプレイと、発光部と受光部を含む光学素子とが配置された表示操作装置において、
前記バックライトと前記発光部の発光時間が互いに重ならないように発光駆動タイミングを制御するタイミング制御手段、
を設けたことを特徴とする表示操作装置。
【請求項２】
前記光学素子は赤外線タッチスイッチであることを特徴とする請求項１に記載の表示操作装置。
【請求項３】
前記光学素子は光通信用デバイスであることを特徴とする請求項１に記載の表示操作装置。
【発明の詳細な説明】
【技術分野】
【０００１】
本発明は、表示操作装置に関し、詳しくは、簡略な構成による誤動作防止の改善に関する。
【０００２】
たとえば、プロセス制御システムにおけるプラント配管路などの設置現場に実装されるフィールド機器には、オペレータが現場でパラメータ設定などを手動操作するスイッチ機構として赤外線タッチスイッチが組み込まれたものがある。
【０００３】
図５は、フィールド機器で用いられている従来の赤外線タッチスイッチが組み込まれた表示操作装置の一例を示す構成説明図である。図５において、平面型のディスプレイ１は、その上部両端下面に設けられたバックライト２で照射するように構成されている。ディスプレイ１と共通する平面上の下部領域には、同一構成の３個の赤外線タッチスイッチ３が設けられている。
【０００４】
各赤外線タッチスイッチ３は、赤外線の発光部３１と受光部３２が上下方向に隣接するように配置されるとともに、これら発光部３１と受光部３２の外周を囲むように光遮蔽物３３が設けられている。
【０００５】
図６は、図５の赤外線タッチスイッチ３の駆動回路例図である。発光部３１は、タイミング制御回路４から発光部駆動回路３４に入力される発光部駆動信号ｓ１に基づき、センサ光としての赤外光Ｉｒを発光させる。センサ光Ｉｒは、たとえばオペレータの指などの反射物３５により反射して、受光部３２に到達する。
【０００６】
受光部３２は、反射物３５により反射したセンサ光Ｉｒを受光し、センサ光Ｉｒの強度に応じてレベルが変化する変換電気信号を判定信号ｓ２として判定回路３６に出力する。
【０００７】
判定回路３６は、判定信号ｓ２のレベル変化を検出することにより、反射物３５の有無を識別判定する。
【０００８】
バックライト２は、タイミング制御回路４からバックライト駆動回路２１に入力されるバックライト駆動信号ｓ３に基づき駆動されてバックライトＢＬを発光し、ディスプレイ１を照射する。このバックライト駆動信号ｓ３としては、たとえばＰＷＭ信号を用いる。ＰＷＭ信号の周期やパルス幅を調整することにより、ディスプレイ１における表示の明るさを調整できる。
【０００９】
図７は、図６における発光部駆動信号ｓ１とバックライト駆動信号ｓ３の一例を示すタイミングチャートである。（ａ）は発光部駆動信号ｓ１を示している。発光部駆動信号ｓ１は、周期Ｔａで、少なくとも１回以上発光した後に非発光となる状態を繰り返す。（ｂ）はバックライト駆動信号ｓ３を示している。バックライト駆動信号ｓ３は、前述のようにＰＷＭ信号であり、周期Ｔｂで、発光と非発光を繰り返す。
【００１０】
非特許文献１には、オン，オフの判定レベルの個別調整を不要にする赤外線タッチスイッチの技術が記載されている。
【先行技術文献】
【特許文献】
【００１１】
【特許文献１】特開２００３−２７３７２１号公報
【発明の概要】
【発明が解決しようとする課題】
【００１２】
ところで、受光部３１は、センサ光としての赤外光Ｉｒもバックライト２のバックライトＢＬも受光できることから、バックライトＢＬが受光部３１に到達して入射されると判定信号ｓ２のレベルが変化する。この結果、判定回路３６は、反射物３５の有無の識別を誤ってしまい、赤外線タッチスイッチとしての誤動作につながるおそれがある。
【００１３】
そこで、受光部３１にバックライトＢＬが到達して入射しないように、光遮蔽物３３を設けることで、バックライトＢＬを遮蔽している。
【００１４】
しかし、光遮蔽物３３は、各赤外線タッチスイッチ３における赤外線の発光部３１と受光部３２の外周を囲む光遮蔽機能とバックライトＢＬの光遮蔽機能を兼ね備えていなければならない。
【００１５】
バックライトＢＬの受光部３１への入射を完全に遮蔽するためには、たとえば発光部３１と受光部３２の外周を隙間なく完全に取り囲むようにたとえばモールドにより一体成形された光遮蔽用個別部品を準備して、赤外線タッチスイッチの組立工程にこれら光遮蔽用個別部品を実装するための工程を追加しなければならず、部品点数や組立工数が増加してコストが高くなってしまうという問題がある。
【００１６】
なお、この問題は、発光部と受光部を含む赤外線タッチスイッチに限るものではなく、バックライトで照射するように構成された平面型のディスプレイと、発光部と受光部を含む光学素子とが共通する平面上に配置された表示操作装置に共通するものであって、赤外線タッチスイッチの代わりに発光部と受光部とで構成される光通信用デバイスが配置された表示操作装置についても発生するおそれがある。
【００１７】
本発明は、このような従来の問題点に着目したものであり、その目的は、バックライトを遮蔽するための光遮蔽物を用いることなくバックライトに起因する発光部と受光部を含む光学素子の誤動作を確実に防止できる表示操作装置を提供することにある。
【課題を解決するための手段】
【００１８】
このような課題を達成する請求項１の発明は、
共通する平面上に、バックライトで照射するように構成された平面型のディスプレイと、発光部と受光部を含む光学素子とが配置された表示操作装置において、
前記バックライトと前記発光部の発光時間が互いに重ならないように発光駆動タイミングを制御するタイミング制御手段、
を設けたことを特徴とする。
【００１９】
請求項２の発明は、請求項１に記載の表示操作装置において、
前記光学素子は赤外線タッチスイッチであることを特徴とする。
【００２０】
請求項３の発明は、請求項１に記載の表示操作装置において、
前記光学素子は光通信用デバイスであることを特徴とする。
【発明の効果】
【００２１】
これらにより、バックライトの受光による誤動作を防止回避できる。
【図面の簡単な説明】
【００２２】
【図１】本発明の一実施例を示すブロック図である。
【図２】図１のバックライト動作中の説明図である。
【図３】図１における発光部駆動信号ｓ１とバックライト駆動信号ｓ３の具体例を示すタイミングチャートである。
【図４】本発明の他の実施例を示すブロック図である。
【図５】従来の赤外線タッチスイッチが組み込まれたフィールド機器の一例を示す構成説明図である。
【図６】図５の赤外線タッチスイッチ３の駆動回路例図である。
【図７】図６における発光部駆動信号ｓ１とバックライト駆動信号ｓ３の一例を示すタイミングチャートである。
【発明を実施するための最良の形態】
【００２３】
以下、本発明について、図面を用いて説明する。図１および図２は本発明の一実施例を示すブロック図であり、図６と共通する部分には同一の符号を付けている。図１および図２と図６との相違点は、バックライト駆動回路２１を介したタイミング制御回路４によるバックライト２の駆動制御にある。
【００２４】
具体的には、タイミング制御回路４は、バックライト２の発光時間と発光部３１の発光時間が重ならないように、バックライト２と発光部３１の駆動タイミングを制御する。
【００２５】
図１は発光部３１が発光駆動されて赤外線タッチスイッチ３が動作中でバックライト２が休止している状態を示し、図２はバックライト２が発光駆動されて発光部３１が非発光で赤外線タッチスイッチ３が休止している状態を示している。
【００２６】
図１に示す赤外線タッチスイッチ３の動作中は、タイミング制御回路４からのバックライト制御信号ｓ３によってバックライト２を非発光とするようにバックライト駆動回路２１を制御する。
【００２７】
一方、図２に示すバックライト２の動作中は、赤外線タッチスイッチ３の判定回路３６が判定動作を行わないように、タイミング制御回路４からの判定制御信号ｓ４によって判定回路３６を制御する。
【００２８】
図３は図１および図２における発光部駆動信号ｓ１とバックライト駆動信号ｓ３の具体例を示すタイミングチャートであり、（ａ）は発光部駆動信号ｓ１を示し、（ｂ）はバックライト駆動信号ｓ３を示している。
【００２９】
赤外線タッチスイッチ３は、発光部駆動信号ｓ１は周期Ｔａで少なくとも１回以上発光した後に非発光となる状態を繰り返す。
【００３０】
赤外線タッチスイッチ３において、発光部駆動回路３４からの発光部駆動信号ｓ１によって発光部３１からセンサ光としての赤外光Ｉｒを発光させると、センサ光Ｉｒが指などの反射物３５で反射して受光部３２に到達する。
【００３１】
受光部３２は、反射物３５で反射したセンサ光Ｉｒを受光し、センサ光Ｉｒの強度に応じてレベルが変化する変換電気信号を判定信号ｓ２として判定回路３６に出力する。
【００３２】
判定回路３６は、判定信号ｓ２のレベル変化を検出して、反射物３５の有無を識別判定する。
【００３３】
一方、バックライト駆動信号ｓ３は、発光部駆動信号ｓ１が非発光の区間において、周期Ｔｂでバックライト２が発光と非発光を繰り返すように駆動し、ディスプレイ１を照射する。なお、バックライト駆動信号ｓ３としては、従来と同様にたとえばＰＷＭ信号を用いる。
【００３４】
すなわち、タイミング制御回路４は、バックライト２の発光時間と発光部３１の発光時間が重ならないように、発光部駆動信号ｓ１とバックライト駆動信号ｓ３のタイミングを制御する。
【００３５】
このように、タイミング制御回路４により、バックライト２が発光中は赤外線タッチスイッチ３が動作せず、赤外線タッチスイッチ３が動作中の場合にはバックライト２は発光しないように相補的に駆動されるので、従来のようにバックライトが赤外線タッチスイッチ３の受光部３１に入射されることによって赤外線タッチスイッチ３が誤動作するおそれはなく、図６に示すように従来は不可欠であったバックライトＢＬを遮蔽するための光遮蔽物３３は不要になる。
【００３６】
これにより、各赤外線タッチスイッチ３を構成する発光部３１と受光部３２の外周を囲む光遮蔽物３３は、少なくとも各赤外線タッチスイッチ３の領域を視覚的・触覚的に識別できる程度であればよく、従来に比べてその構造を大幅に簡略化できる。
【００３７】
なお、上記実施例では、発光部と受光部を含む光学素子が赤外線タッチスイッチの例について説明したが、これに限るものではなく、たとえば図４に示すような光通信用デバイスであってもよい。
【００３８】
図４において、バックライト２がバックライトＢＬを発光する間は、タイミング制御回路４から光通信用デバイス駆動回路５に出力する光通信用デバイス駆動回路制御信号ｓ５を制御して光通信用デバイス６を非動作とし、光通信用デバイス６を動作させる間は、タイミング制御回路４からバックライト駆動回路２１に出力するバックライト制御信号ｓ３を制御してバックライト２を非発光とする。
【００３９】
以上説明したように、本発明によれば、バックライトを遮蔽するための光遮蔽物を用いることなくバックライトに起因する発光部と受光部を含む光学素子の誤動作を確実に防止できる表示操作装置を実現でき、特にフィールド機器の表示操作部として好適である。
【符号の説明】
【００４０】
１  ディスプレイ
２  バックライト
２１  バックライト駆動回路
３  赤外線タッチスイッチ
３１  発光部
３２  受光部
３３  光遮蔽物
３４  発光部駆動回路
３５  反射物
３６  判定回路
４  タイミング制御回路
５  光通信用デバイス駆動回路
６  光通信用デバイス
【図１】
2014049860.tif 000003
【図２】
2014049860.tif 000004
【図３】
2014049860.tif 000005
【図４】
2014049860.tif 000006
【図５】
2014049860.tif 000007
【図６】
2014049860.tif 000008
【図７】
2014049860.tif 000009